(57)【要約】【課題】迅速かつ高精度な被検物質の分析が可能な体外診断ツールを提供する。【解決手段】被検溶液中の被検物質を定量的または定性的に検知する体外診断ツールであって、基材シートと、基材シートの表面に接合された、多孔質層と、多孔質層の一部に担持された、被検物質と反応する試薬と、を具備し、多孔質層は、電界紡糸法により形成されたナノファイバのマトリックス構造を有し、ナノファイバの長軸が、一方向に配向している、体外診断ツール。【選択図】図２
2014020972.tif 000002
【特許請求の範囲】
【請求項１】
被検溶液中の被検物質を定量的または定性的に検知する体外診断ツールであって、
基材シートと、
前記基材シートの表面に接合された、多孔質層と、
前記多孔質層の一部に担持された、前記被検物質と反応する試薬と、を具備し、
前記多孔質層は、電界紡糸法により形成されたナノファイバのマトリックス構造を有し、
前記ナノファイバの長軸が、一方向に配向している、体外診断ツール。
【請求項２】
前記対外診断ツールが、前記被検溶液と接触させるための接触部を有し、
前記ナノファイバの長軸の配向する方向が、前記接触部から前記試薬に向かう方向である、請求項１記載の体外診断用ツール。
【請求項３】
被検溶液中の被検物質を定量的または定性的に検知する体外診断ツール用膜であって、
基材シートと、
前記基材シートの表面に接合された、多孔質層と、を具備し、
前記多孔質層は、電界紡糸法により形成されたナノファイバのマトリックス構造を有し、
前記ナノファイバの長軸が、一方向に配向している、体外診断ツール用膜。
【請求項４】
（i）基材シートをナノファイバ形成空間に供給する工程と、
（ii）前記ナノファイバ形成空間において、溶媒および前記溶媒に溶解した樹脂原料を含む原料液から静電気力によりナノファイバを生成させる工程と、
（iii）前記生成したナノファイバの長軸を一方向に配向させ、前記長軸が一方向に配向したナノファイバを、前記基材シートの表面に堆積させて、前記ナノファイバのマトリックス構造を有する多孔質層を形成する工程と、
（iv）前記多孔質層の一部に、被検溶液中の被検物質と反応する試薬を担持させる工程と、を具備する、体外診断ツールの製造方法。
【請求項５】
前記工程（iii）が、前記生成したナノファイバに、前記基材シートの面方向への外力を付与して、前記外力により前記ナノファイバを前記一方向に配向させることを含む、請求項４記載の体外診断ツールの製造方法。
【請求項６】
前記ナノファイバ生成空間の下流側で、前記基材シートの面方向に向かうガス流を衝突させることにより、前記ナノファイバに前記外力を付与する、請求項５記載の体外診断ツールの製造方法。
【請求項７】
前記工程（iii）が、前記一方向に高速で移動する前記基材シートに、前記ナノファイバを堆積させることにより、前記ナノファイバに前記一方向の張力を付与することを含む、請求項４記載の体外診断ツールの製造方法。
【請求項８】
前記ナノファイバの長軸の配向する方向が、前記被検溶液が前記試薬に向かう方向となるように、前記被検溶液と接触させるための接触部を設ける、請求項４〜６のいずれか１項記載の体外診断ツールの製造方法。
【請求項９】
（i）基材シートをナノファイバ形成空間に供給する工程と、
（ii）前記ナノファイバ形成空間において、溶媒および前記溶媒に溶解した樹脂原料を含む原料液から静電気力によりナノファイバを生成させる工程と、
（iii）前記生成したナノファイバの長軸を一方向に配向させ、前記長軸が一方向に配向したナノファイバを、前記基材シートの表面に堆積させて、前記ナノファイバのマトリックス構造を有する多孔質層を形成する工程と、を具備する、体外診断ツール用膜の製造方法。
【請求項１０】
前記工程（iii）が、前記生成したナノファイバに、前記基材シートの面方向への外力を付与して、前記外力により前記ナノファイバを前記一方向に配向させることを含む、請求項９記載の体外診断ツール用膜の製造方法。
【請求項１１】
前記ナノファイバ生成空間の下流側で、前記基材シートの面方向に向かうガス流を衝突させることにより、前記ナノファイバに前記外力を付与する、請求項１０記載の体外診断ツール用膜の製造方法。
【請求項１２】
前記工程（iii）が、前記一方向に高速で移動する前記基材シートに、前記ナノファイバを堆積させることにより、前記ナノファイバに前記一方向の張力を付与することを含む、請求項９記載の体外診断ツール用膜の製造方法。
【発明の詳細な説明】
【技術分野】
【０００１】
本発明は、高分子を含む原料液から静電気力によりナノファイバを生成させる電界紡糸機構を利用して製造される多孔質材料を含む体外診断ツールの分野に関する。
【背景技術】
【０００２】
近年の在宅医療や地域医療の充実に伴い、臨床検査の専門家でなくとも、簡易かつ迅速に、高精度の体外診断を実施できる分析ツールへの要望が大きくなってきている。例えば、免疫クロマトグラフィーに代表される乾式の体外診断ツール（バイオセンサ）は、試薬の調製を必要とせず、極めて簡易に被検溶液中の被検物質を定量的または定性的に分析することが可能である。
【０００３】
上記のような体外診断ツールは、一般に、被検溶液が移動するシート状の多孔質材料と、これを保持する基材シートと、多孔質材料の一部に担持された試薬とで構成されている。そして、被検物質を含む血液、尿などを、多孔質材料の所定の接触部に付与する簡単な操作により、簡易かつ迅速に被検物質を分析することができる。
【０００４】
従来の体外診断ツールに用いられている多孔質材料の多くは、キャスト法を利用して形成される微多孔膜である。このような微多孔膜は、ポリマー溶液を支持体ウェブに塗布してフィルムを形成し、その後、フィルムを洗浄してフィルム中に内包されている物質を除去することにより形成されている（特許文献１参照）。
【先行技術文献】
【特許文献】
【０００５】
【特許文献１】国際公開第２００１／０８９６７３号パンフレット
【発明の概要】
【発明が解決しようとする課題】
【０００６】
しかし、キャスト法を利用して形成される微多孔膜は、比表面積が小さく、被検物質と反応する試薬を十分量かつ良好な分散性で保持することが困難である。また、微多孔膜では、フィルムを厚さ方向に貫通するように連通した被検溶液の移動経路が形成されやすく、フィルムの面方向に連通した移動経路が形成されにくい。従って、従来の微多孔膜は、体外診断ツールに用いる多孔質材料として適した構造を有するとはいえない。
【０００７】
一方、不織布は、比表面積は大きく、かつ方向性を持たない三次元の移動経路を形成しやすいため、一側面においては、体外診断ツールの多孔質材料として有望である。ただし、不織布構造は、疎水性を発現することが多く、被検溶液の浸透性を高めるのには限界がある。そのため、被検物質の分析に要する時間を短縮するのにも限界が生じ、不織布を用いるメリットが低減される。なお、不織布構造が疎水性を発現する理由は、定かではないが、微細な繊維がランダムな方向に配向することにより、ハス葉効果（ロータス効果）を生じ、その結果、疎水性が発現すると考えられる。
【課題を解決するための手段】
【０００８】
上記に鑑み、本発明の一局面は、被検溶液中の被検物質を定量的または定性的に検知する体外診断ツールであって、基材シートと、前記基材シートの表面に接合された、多孔質層と、前記多孔質層の一部に担持された、前記被検物質と反応する試薬と、を具備し、前記多孔質層は、電界紡糸法により形成されたナノファイバのマトリックス構造を有し、前記ナノファイバの長軸が、一方向に配向している、体外診断ツールに関する。
【０００９】
また、本発明の他の局面は、被検溶液中の被検物質を定量的または定性的に検知する体外診断ツール用膜であって、基材シートと、前記基材シートの表面に接合された、多孔質層と、を具備し、前記多孔質層は、電界紡糸法により形成されたナノファイバのマトリックス構造を有し、前記ナノファイバの長軸が、一方向に配向している、体外診断ツール用膜に関する。
【００１０】
本発明の更に他の局面は、（i）基材シートをナノファイバ形成空間に供給する工程と、（ii）前記ナノファイバ形成空間において、溶媒および前記溶媒に溶解した樹脂原料を含む原料液から静電気力によりナノファイバを生成させる工程と、（iii）前記生成したナノファイバの長軸を一方向に配向させ、前記長軸が一方向に配向したナノファイバを、前記基材シートの表面に堆積させて、前記ナノファイバのマトリックス構造を有する多孔質層を形成する工程と、（iv）前記多孔質層の一部に、被検溶液中の被検物質と反応する試薬を担持させる工程と、を具備する、体外診断ツールの製造方法に関する。
【００１１】
本発明の更に他の局面は、（i）基材シートをナノファイバ形成空間に供給する工程と、（ii）前記ナノファイバ形成空間において、溶媒および前記溶媒に溶解した樹脂原料を含む原料液から静電気力によりナノファイバを生成させる工程と、（iii）前記生成したナノファイバの長軸を一方向に配向させ、前記長軸が一方向に配向したナノファイバを、前記基材シートの表面に堆積させて、前記ナノファイバのマトリックス構造を有する多孔質層を形成する工程と、を具備する体外診断ツール用膜の製造方法に関する。
【発明の効果】
【００１２】
本発明によれば、被検溶液の移動と被検物質の分析に適した構造の体外診断ツールが得られる。具体的には、本発明の体外診断ツールは、ナノファイバのマトリックス構造を有する多孔質層（不織布）で形成されていることから、試薬を保持させる比表面積が大きくなり、必要量の試薬を、良好な分散状態で保持することができる。また、不織布は、その厚さ方向のみならず、面方向にも連通した移動経路を形成しやすいため、被検溶液の移動に対する抵抗が小さくなる。そして、ナノファイバの長軸が一方向に配向していることにより、多孔質層の親水性が高められ、被検溶液の浸透性が向上する。よって、体外診断ツールによる迅速かつ高精度な被検物質の分析が可能となる。
【図面の簡単な説明】
【００１３】
【図１】ナノファイバの長軸が一方向に配向している状態を説明する図である。
【図２】本発明の一実施形態に係る体外診断ツールの断面（ａ）および上面（ｂ）の構成を概略的に示す図である。
【図３】同体外診断ツールによる被検物質の測定原理を概念的に示す説明図である。
【図４】体外診断ツール用膜の製造システムの一例の構成を示す図である。
【図５】電界紡糸ユニットの一例の構成を示す上面図である。
【図６】ガス流を衝突させることによりナノファイバが一方向に配向し、その状態で基材シートに堆積する原理を概念的に説明する図である。
【図７】体外診断ツール用膜の製造システムの別の一例の構成を示す図である。
【発明を実施するための形態】
【００１４】
本発明の体外診断ツールは、基材シートと、基材シートの表面に接合された、多孔質層と、多孔質層の一部に担持された、被検物質と反応する試薬と、を具備し、多孔質層は、電界紡糸法により形成されたナノファイバのマトリックス構造を有する。ただし、ナノファイバの長軸は一方向に配向している。
以下、基材シートと、基材シートの表面に接合された多孔質層との組み合わせは、体外診断ツール用膜ともいう。
【００１５】
ナノファイバの長軸が一方向に配向しているかどうかは、以下のように判断される。
ここでは、多孔質層を、その主面に垂直な方向から見た図１（ａ）および図１（ｂ）を参照しながら説明する。
（i）はじめに対象となるマトリックス構造１を構成するナノファイバ２の中から、その長軸方向が多孔質層の主面と３０度以下の角度θを成すナノファイバ（基準ナノファイバ２ａ）を任意に選択する。ただし、ナノファイバ２ａの長軸方向は、ナノファイバ２ａの長さ方向における両端２ｘ、２ｙを結ぶ直線の方向（図１（ａ）中、白抜き矢印の方向）と見なしてよい。
（ii）次に、図１（ｂ）に示すように、基準ナノファイバ２ａの長軸方向のうち、多孔質層の主面と平行なベクトル成分をＸ軸とするＸ−Ｙ平面をマトリックス構造１の内部に想定する。
（iii）想定されたＸ−Ｙ平面において、基準ナノファイバ２ａ以外のナノファイバ２の５０％超、好ましくは６０％以上、更に好ましくは７０％以上において、長軸方向のＸ軸方向のベクトル成分ｘ（３）とＹ軸方向のベクトル成分ｙ（４）とが、ｘ＞ｙを満たすとき、マトリックス構造を形成するナノファイバは一方向（Ｘ軸方向）に配向していると判断できる。この場合、当該５０％超のナノファイバにおいて、ナノファイバの長軸方向のＸ−Ｙ平面に垂直なＺ軸方向のベクトル成分ｚは、ｘ＞ｚを満たすことが好ましい。
【００１６】
上記（iii）のプロセスにおいて、ｘ＞ｙの関係を満たすナノファイバの割合は、例えば２０本以上のナノファイバ２における割合として算出すればよい。例えば、２０本のナノファイバのうち、その５０％超に相当する１１本以上が、ｘ＞ｙの関係を満たせば、ナノファイバは一方向に配向していると判断できる。ナノファイバの配向の程度は、大きいほど好ましく、３０％以上のナノファイバにおいて、ｘ≧２ｙを満たすことが好ましい。
【００１７】
ここで、電界紡糸法とは、静電延伸現象（エレクトロスピニング）を利用して多孔質材料（不織布）を形成する方法である。静電延伸現象とは、溶媒中に高分子樹脂などの溶質を分散または溶解させた原料液を、空間中に流出もしくは噴射させるとともに、原料液に電荷を付与して帯電させたときに、空間を飛行中の原料液が電気的に延伸され、ナノファイバを生成する現象である。静電延伸現象によれば、サブミクロンスケールやナノスケールの繊維径を有するナノファイバの製造が可能である。生成したナノファイバを、基材シートもしくはコレクタに堆積させることで、不織布が形成される。
【００１８】
試薬を保持する多孔質層は、三次元に連通する細孔もしくは空隙を有する不織布である。従って、各層には、その面方向に連通した被検溶液の移動経路が形成され、被検溶液の面方向へのスムーズな移動が可能である。また、不織布は、空隙率が高いため、微多孔膜（特許文献１参照）に比べて、より多くの被検溶液を迅速に吸収することができる。
【００１９】
電界紡糸法では、原料液の状態、原料液を空間中に流出もしくは噴射させる治具の構造、原料液に電荷を付与する電界の大きさなどにより、ナノファイバの繊維径が変化する。従って、これらの条件を適宜選択することにより、ナノファイバの繊維径を比較的容易に制御できる。
【００２０】
なお、被検物質の迅速な定量分析または定性分析を実現する観点からは、各層における被検溶液の移動速度は、速いほど望ましい。そして、被検溶液の移動速度を速めるためには、多孔質層の親水性を高めることが有効である。多孔質層の親水性を高める方法としては、界面活性剤を含む水溶液に多孔質層を浸漬するなどして、多孔質層に親水性基を導入する方法が考えられる。しかし、このような方法は、体外診断ツールの製造コストを増大させることとなる。更に、多孔質層は、界面活性剤を含む水溶液との親和性自体が乏しいため、十分な親水性を付与することが困難である。
【００２１】
一方、電界紡糸法によれば、形成されるナノファイバのマトリックス構造の制御が可能である。そして、ナノファイバの長軸が一方向に配向するようにマトリックス構造を制御することにより、疎水性の発現を抑制し、被検溶液との親和性を高めることが可能となる。また、ナノファイバの長軸を一方向に配向させることにより、その長軸が配向する方向への被検溶液の移動速度が速められる。従って、ナノファイバの長軸を配向させる方向は、被検溶液の進行方向と小さな鋭角（例えば４５度未満）を成す程度に近いことが望ましく、被検溶液の進行方向と一致することが最も望ましい。
【００２２】
体外診断ツールは、被検溶液と接触させるための接触部を具備する。従って、ナノファイバの長軸の配向する方向は、被検溶液との接触部から試薬に向かう方向であることが望ましい。具体的には、任意の２０本以上のナノファイバの５０％超、好ましくは６０％以上、更に好ましくは７０％以上の長軸（ただし、多孔質層の主面と平行なベクトル成分）が、接触部から試薬に向かう方向と４５度未満の角度を有することが望ましい。
なお、接触部は、ナノファイバのマトリックス構造を有する多孔質層の一部に設けてもよく、被検溶液を一時的に滞留させるのに適した素材のサンプルパッドなどでもよい。
【００２３】
体外診断ツール用膜に用いるナノファイバの繊維径は、例えば、１００〜４００ｎｍであり、２００〜３００ｎｍが好ましい。
このような繊維径のナノファイバによりマトリックス構造を形成することで、多孔質層の比表面積が十分に大きくなり、保持させる試薬の量を増量することが容易となり、かつ試薬の分散性を高めることができる。その結果、体外診断ツールの感度は、極めて高くなり、被検物質の量が微量である場合でも正確な分析が可能となる。
【００２４】
ここで、ナノファイバの繊維径とは、例えば、任意に選択される１０個のナノファイバの任意の箇所の直径の平均値として求めればよい。ナノファイバの直径とは、ナノファイバの長さ方向に対して垂直な断面の直径である。そのような断面が円形でない場合には、最大径を直径と見なしてよい。
【００２５】
本発明の体外診断ツール用膜は、例えば、基材シートを準備する工程と、基材シートの一方の表面に、電界紡糸法により、ナノファイバを堆積させ、多孔質層を形成する工程と、を具備する製造方法により得ることができる。また、本発明の体外診断ツールは、上記膜の製造方法に、更に、多孔質層の一部に被検溶液中の被検物質と反応する試薬を担持させる工程、を付与した製造方法により得ることができる。
【００２６】
ここで、基材シートを準備する工程は、例えば、（i）基材シートをナノファイバ形成空間に供給する工程を含む。また、多孔質層を形成する工程は、（ii）ナノファイバ形成空間において、溶媒および溶媒に溶解した樹脂原料を含む原料液から静電気力によりナノファイバを生成させる工程、（iii）生成したナノファイバの長軸を一方向に配向させ、長軸が一方向に配向したナノファイバを、基材シートの表面に堆積させる工程と、を含む。
【００２７】
ナノファイバの長軸を一方向に配向させる方法は、特に限定されないが、一例として、生成したナノファイバに基材シートの面方向への外力を付与する方法が挙げられる。基材シートの面方向への外力とは、基材シートの主面と平行な成分を含む外力であり、そのような外力は、基材シートの主面と垂直な成分を含んでもよい。
【００２８】
基材シートの面方向への外力は、ガス流もしくは風力を利用して、ナノファイバに付与することができる。例えば、ナノファイバ生成空間の下流側で、ナノファイバに基材シートの面方向に向かうガス流を衝突させることが好ましい。ナノファイバ生成空間の下流側とは、ナノファイバ生成空間のうち、ナノファイバの原料液が放出される位置よりも、基材シートに近い領域である。例えば、重力方向に移動中の生成直後のナノファイバに、基材シート近傍で、ガス流を衝突させる。これにより、ナノファイバの下端部が最初にガス流に流されるため、ナノファイバは基材シートの主面と角度を持った状態で堆積する。
【００２９】
あるいは、一方向に高速で移動する基材シートに、ナノファイバを堆積させることにより、ナノファイバの長軸を一方向に配向させることもできる。ナノファイバの下端部が高速で移動する基材シートに接触すると、下端部と基材シートとの摩擦により、ナノファイバは基材シートの移動方向に引っ張られる。その結果、ナノファイバに張力が付与され、一方向に配向した状態となる。
【００３０】
上記のような体外診断ツール用膜の製造方法は、例えば、ラインの上流から下流に基材シートを搬送し、搬送される基材シートの主面に多孔質層を形成する製造システムにより実施することが可能である。このような製造システムは、例えば、（i）基材シートをラインに供給する基材シート供給装置と、（ii）原料液から静電気力によりナノファイバを生成させる電界紡糸機構を有する多孔質層形成装置と、（iii）多孔質層形成装置から送り出される膜を捲き取る回収装置と、を具備する。電界紡糸機構は、搬送される基材シートの上方でナノファイバを生成させる。生成したナノファイバは、重力により下方に移動し、基材シートの主面に堆積して多孔質層を形成する。
【００３１】
なお、「ナノファイバ」とは、高分子物質を含み、繊維径が、例えば１０〜８００ｎｍ、好ましくは１０〜１００ｎｍの糸状物質を言う。ナノファイバは、種々の添加剤を含んでもよい。
【００３２】
高分子物質としては、セルロース、ニトロセルロースなどのセルロース系樹脂、ポリ乳酸、ポリグリコール酸、コラーゲン、ポリヒドロキシ酪酸、ポリ酢酸ビニル、ポリペプチドなどのバイオポリマー、ポリフッ化ビニリデン（ＰＶＤＦ）、フッ化ビニリデン−ヘキサフルオロプロピレン共重合体などのフッ素樹脂、ポリカーボネート、ポリアリレート、ポリエステルカーボネート、ポリカプロラクトン、ポリアミド、ポリイミド、ポリアミドイミド、ポリアクリルニトリル、ポリメチルメタクリレート、アクリロニトリル−メタクリレート共重合体、ポリ塩化ビニル、塩化ビニリデン−アクリレート共重合体、ポリエチレンテレフタレート、ポリブチレンテレフタレート、ポリエチレンナフタレート、ポリ−ｍ−フェニレンテレフタレート、ポリ−ｐ−フェニレンイソフタレートなどのポリエステル、ポリエチレン、ポリプロピレン、ポリスチレン、ポリエチレンオキサイド等の石油樹脂などが挙げられる。これらは単独で用いてもよく、複数種を組み合わせて用いてもよい。
【００３３】
ナノファイバの原料液は、高分子物質を溶媒に溶解した溶液である。溶媒は、高分子物質に応じて、適切なものを選択すればよいが、例えば、メタノール、エタノール、１−プロパノール、２−プロパノール、ヘキサフルオロイソプロパノール、テトラエチレングリコール、トリエチレングリコール、ジベンジルアルコール、１，３−ジオキソラン、１，４−ジオキサン、メチルエチルケトン、メチルイソブチルケトン、メチル−ｎ−ヘキシルケトン、メチル−ｎ−プロピルケトン、ジイソプロピルケトン、ジイソブチルケトン、アセトン、ヘキサフルオロアセトン、フェノール、ギ酸、ギ酸メチル、ギ酸エチル、ギ酸プロピル、安息香酸メチル、安息香酸エチル、安息香酸プロピル、酢酸メチル、酢酸エチル、酢酸プロピル、フタル酸ジメチル、フタル酸ジエチル、フタル酸ジプロピル、塩化メチル、塩化エチル、塩化メチレン、クロロホルム、ｏ−クロロトルエン、ｐ−クロロトルエン、クロロホルム、四塩化炭素、１，１−ジクロロエタン、１，２−ジクロロエタン、トリクロロエタン、ジクロロプロパン、ジブロモエタン、ジブロモプロパン、臭化メチル、臭化エチル、臭化プロピル、酢酸、ベンゼン、トルエン、ヘキサン、シクロヘキサン、シクロヘキサノン、シクロペンタン、ｏ−キシレン、ｐ−キシレン、ｍ−キシレン、アセトニトリル、テトラヒドロフラン、Ｎ，Ｎ−ジメチルホルムアミド、Ｎ，Ｎ−ジメチルアセトアミド、ジメチルスルホオキシド、ピリジン、水などを用いることができる。これらは単独で用いてもよく、複数種を組み合わせて用いてもよい。
【００３４】
原料液には、無機質固体材料を添加してもよい。無機質固体材料としては、酸化物、炭化物、窒化物、ホウ化物、珪化物、弗化物、硫化物等を挙げることができるが、製造されるナノファイバの耐熱性、加工性などの観点から酸化物を用いることが好ましい。酸化物としては、Ａｌ2Ｏ3、ＳｉＯ2、ＴｉＯ2、Ｌｉ2Ｏ、Ｎａ2Ｏ、ＭｇＯ、ＣａＯ、ＳｒＯ、ＢａＯ、Ｂ2Ｏ3、Ｐ2Ｏ5、ＳｎＯ2、ＺｒＯ2、Ｋ2Ｏ、Ｃｓ2Ｏ、ＺｎＯ、Ｓｂ2Ｏ3、Ａｓ2Ｏ3、ＣｅＯ2、Ｖ2Ｏ5、Ｃｒ2Ｏ3、ＭｎＯ、Ｆｅ2Ｏ3、ＣｏＯ、ＮｉＯ、Ｙ2Ｏ3、Ｌｕ2Ｏ3、Ｙｂ2Ｏ3、ＨｆＯ2、Ｎｂ2Ｏ5等を例示することができる。これらは単独で用いてもよく、複数種を組み合わせて用いてもよい。
【００３５】
原料液における溶媒と高分子物質との混合比率は、選定される溶媒の種類と高分子物質の種類により異なる。原料液における溶媒は、例えば、６０質量％から９５質量％である。
【００３６】
以下、図面を参照しながら、発明の体外診断ツールの構造の一例について説明する。
（実施形態１）
図２は、本発明の一実施形態に係る体外診断ツールの構成を概略的に示している。図２（ａ）は、体外診断ツールの断面図であり、図２（ｂ）は同ツールの上面図である。
ここでは、体外診断ツール１００が、抗原抗体反応を利用する免疫クロマトグラフィー試験片である場合について説明する。
【００３７】
体外診断ツール１００は、基材シート１０ｂと、基材シートの一方の表面に配置された多孔質層１０ａとの積層体である体外診断ツール用膜１０を具備する。多孔質層１０ａは、電界紡糸法により形成されたナノファイバのマトリックス構造を有する不織布により形成されている。
【００３８】
体外診断ツール用膜１０の形状は、特に限定されないが、例えば、図２（ｂ）に示すような長方形である。長方形の一方の短辺側は、血液、尿、唾液などの被検溶液を添加する被検溶液導入部１１として機能する。被検溶液導入部１１は、例えば、図２（ａ）に示すように、多孔質層１０ａのオープンな表面に設定される。なお、被検溶液導入部１１は、多孔質層１０ａとは別素材のサンプルパッドなどでもよい。
【００３９】
多孔質層１０ａの被検溶液導入部１１から少し離れた第１試薬保持部１２には、浸透作用により移動してきた被検溶液中に含まれる被検物質（抗原）に対して特異的に結合する標識試薬１２ａが保持されている。また、多孔質層１０ａの被検溶液導入部１１から更に離れた第２試薬保持部１３には、標識試薬１２ａと被検物質との結合体を固定化する検知試薬１３ａが保持されている。標識試薬１２ａと被検物質との結合体は、検知試薬１３ａにより第２試薬保持部１３に固定化される。これにより、第２試薬保持部１３の物性が変化する。その変化を検知することにより、被検物質の定量または定性分析が可能となる。そして、第２試薬保持部１３よりも被検溶液導入部１１から離れた位置には、体外診断ツール用膜１０と連続するように、流れてきた被検溶液を回収する吸液部１４が設けられている。
【００４０】
次に、図３を参照しながら、体外診断ツール１００により、被検溶液中の被検物質が検知される原理を説明する。
まず、体外診断ツール１００の被検溶液導入部１１に、被検溶液１５が数滴添加される（図３（ａ）参照）。添加される被検溶液１５は、通常、生体から採取される体液であり、様々な物質を含んでいる。ここでは、体液が被検物質であるインフルエンザＡ抗原１５ａを含む場合について説明する。
【００４１】
被検溶液導入部１１に滴下された被検溶液１５は、毛細管現象により多孔質層の内部を移動して、まず、標識試薬１２ａが保持されている第１試薬保持部１２に到達する。標準試薬１２ａは、第１試薬保持部１２から容易に溶け出すことができるように、多孔質層に弱い力で担持されている。第１試薬保持部１２では、図３（ｂ）に示すように、インフルエンザＡ抗原１５ａだけが、標準試薬１２ａと特異的に結合し、結合体１５ｂを生成する。なお、標準試薬１２ａには、金コロイドなどで標識された抗インフルエンザＡ抗体が用いられる。
【００４２】
生成した結合体１５ｂは、第１試薬保持部１２から溶出し、吸液部１４に向かって移動し、やがて検知試薬１３ａが保持されている第２試薬保持部１３に到達する。検知試薬１３ａは、第２試薬保持部１３から溶出することがないように、第２多孔質層に強固に結合した状態で担持されている。検知試薬１３ａは、例えば、標識を有さない抗インフルエンザＡ抗体である。標識された抗インフルエンザＡ抗体を有する結合体１５ｂは、図３（ｃ）に示すように、検知試薬１３ａによりキャッチされる。その結果、第２試薬保持部１３の物性は変化する。そのような変化は、例えば、色相の変化として示される。色相の変化は、試験者の目視により、容易に確認することができる。結合体１５ｂ以外の被検溶液成分は、第２試薬保持部１３を通過して、吸液部１４に回収される。
【００４３】
なお、第２試薬保持部１３に存在する標識された抗インフルエンザＡ抗体は、目視による検知のほか、例えば、レーザを用いる光学的分析方法や、電気化学的分析方法により検出することも可能である。
【００４４】
基材シート１０ｂは、特に限定されないが、例えば、帯状の樹脂シート、紙シート、布シート、ガラス繊維シートなどを用いることができる。樹脂シートを構成する樹脂としては、ポリオレフィン、ポリアミド、ポリイミド、ポリエステル（ポリエチレンテレフタレート、ポリブチレンテレフタレートなど）などを用いることができる。基材シート１０ｂは、多孔質構造を有していてもよい。
【００４５】
多孔質層１０ａは、電界紡糸法により形成された第１ナノファイバのマトリックス構造を有する。体外診断ツールの用途が、図１、２に示すような免疫クロマトグラフィーである場合、多孔質層１０ａの厚さは、例えば５０〜２００μｍが好適である。また、ナノファイバの材質としては、例えばニトロセルロースが好適である。
【００４６】
上記のように、被検溶液は、被検溶液導入部１１から吸液部１４に向かって移動する。従って、ナノファイバの長軸は、被検溶液導入部１１から吸液部１４に向かう方向（以下、方向Ｄ）に配向していることが望ましい。これにより、被検溶液の移動に対する抵抗が抑制され、被検溶液の移動速度が速められる。具体的には、任意の２０本以上のナノファイバの５０％超、好ましくは６０％以上、更に好ましくは７０％以上の長軸（ただし、多孔質層の主面と平行なベクトル成分）が、方向Ｄと４５度未満の角度を有することが望ましい。
【００４７】
吸液部１４は、分析終了後の被検溶液を回収できるものであればよく、特に限定されないが、紙シートなどを用いればよい。また、吸液部１４の材質は、基材シートや多孔質層と同じ材質であってもよい。
【００４８】
第１試薬保持部１２に保持される標準試薬１２ａは、体外診断ツールの用途に応じて相違する。免疫クロマトグラフィーの標準試薬１２ａとしては、被検溶液に含まれ得る様々な抗原物質に特異的に結合する抗体をベースとする試薬が用いられる。また、標準試薬１２ａは、分析が容易となるような標識を有することが望ましい。標識を有する抗体は、ナノファイバに固定化されていない場合、自由に移動可能であり、抗原と結合した状態で被検溶液に溶出しやすい。
【００４９】
第２試薬保持部１３に保持される検知試薬１３ａも、標準試薬１２ａと同様に、体外診断ツールの用途に応じて選択される。例えば、標準試薬１２ａに用いる抗体と同じ抗体をベースとする試薬が用いられる。検知試薬１３ａとして用いる抗体は、第２試薬保持部１３でナノファイバに固定化される。これにより、標識された抗体に結合した抗原は、第２試薬保持部１３で検知試薬１３ａにキャッチされ、固定化される。そのため、第２試薬保持部１３の物性の変化を測定すれば、抗原の定量や定性が可能となる。
【００５０】
例えば、第２試薬保持部１３の色相が変化する場合には、色相の変化の有無により、特定の抗原（被検物質）が被検溶液に含まれていること、すなわち被検溶液の性質の少なくとも一部を解明することができる。また、色相の変化の程度により、被検溶液に含まれている被検物質の濃度を評価することができる。
【００５１】
次に、体外診断ツール用膜の製造方法の一例について、より具体的に説明する。
体外診断ツール用膜は、ラインの上流から下流に基材シートを搬送し、搬送される基材シートの主面に多孔質層を形成する一連の工程により製造することができる。
【００５２】
上記製造方法は、より具体的には、（i）基材シートをナノファイバ形成空間に供給する工程と、（ii）ナノファイバ形成空間において、原料液から静電気力により第１ナノファイバを生成させるとともに、生成した第１ナノファイバを基材シートの主面に堆積させて多孔質層を形成する工程と、（iii）完成した膜を回収する工程と、を有する。
【００５３】
工程（ii）におけるナノファイバの生成から多孔質層の形成までは、電界紡糸機構を用いて行われる。電界紡糸機構は、例えば、原料液を収容する収容部を具備するとともに原料液を一定の方向に放出する放出口を有する放出体と、放出された原料液を帯電させる帯電手段と、原料液から空間中で生成されるナノファイバを収集するコレクタ部とを備えている。コレクタ部は、搬送されている基材シートにナノファイバが堆積されるように、基材シートと平行に構成することが好ましい。すなわち、放出体は、ナノファイバを生成させる空間の上方に配置され、コレクタ部は同空間の下方に配置され、基材シートはコレクタ部に沿って一方向に搬送される。
【００５４】
電界紡糸機構において、放出体から原料液が放出されると、空間中に流出され、帯電した原料液からは、空間を飛行中に徐々に溶媒が蒸発していく。これにより、飛行中の原料液の体積は徐々に減少していくが、原料液に付与された電荷は、原料液に留まる。その結果、空間を飛行中の原料液の電荷密度は、徐々に上昇することとなる。そして、原料液の電荷密度が高まり、原料液の中に発生する反発方向のクーロン力が原料液の表面張力よりも勝った時点で、原料液が爆発的に線状に延伸される現象が生じる。この現象が静電延伸現象である。静電延伸現象によれば、繊維径がサブミクロンからナノオーダーのナノファイバを効率よく製造することができる。
【００５５】
ここで、放出体と基材シートとで挟まれた空間には、一方向（好ましくは基材シートの進行方向）に向かうガス流を供給するノズルが設けられる。これにより、基材シートに到達する前のナノファイバにガス流を衝突させることができる。
【００５６】
以下、図面を参照しながら、体外診断ツール用膜の製造システムと製造方法について説明するが、以下のシステムおよび製造方法は、本発明を限定するものではない。
【００５７】
図４は、体外診断ツール用膜の製造システムの一例の構成を概略的に示す図である。
製造システム２００は、体外診断ツール用膜を製造するための製造ラインを構成している。製造システム２００では、基材シートが製造ラインの上流から下流に搬送される。
【００５８】
製造システム２００の最上流には、ロール状に捲回された基材シート１０ｂを内部に収容した基材シート供給装置２０が設けられている。基材シート供給装置２０は、ロール状の基材シート１０ｂを捲き出して、自身の下流側に隣接する別の装置に基材シート１０ｂを供給する。具体的には、基材シート供給装置２０は、モータ２４により供給リール２２を回転させて、供給リール２２に捲回された基材シート１０ｂを第１搬送コンベア２１に供給する。
【００５９】
捲き出された基材シート１０ｂは、搬送コンベア２１により、電界紡糸ユニット２５に移送される。電界紡糸ユニット２５が具備する電界紡糸機構は、装置内の上方に設置された原料液を放出するための放出体２６と、放出された原料液を帯電させる帯電手段と、放出体２６と対向するように基材シート１０ｂを上流側から下流側に搬送する第２搬送コンベア２８と、を備えている。第２搬送コンベア２８は、基材シート１０ｂとともにナノファイバを収集するコレクタ部として機能する。コレクタ部の近傍には、空気ポンプ４５と連通する送風ノズル４６が設けられている。送風ノズル４６からは基材シート１０ｂの進行方向に向かって、ガス流としての空気が放出される。
なお、電界紡糸ユニット２５の台数は、図４では２台となっているが、台数は特に限定されず、１台でも３台以上でもよい。
【００６０】
図５は、電界紡糸ユニット２５の構成を概略的に示す上面図である。
電界紡糸ユニット２５では、放出体２６が基材シート１０ｂの移動方向（図４中の白抜き矢印の方向）に対して斜めに交わるように設置されている。このように放出体２６を斜めに設置することで、第２搬送コンベア２８と放出体２６との対向面積が大きくなるため、多孔質層の生産性を高めることが可能である。なお、放出体２６と矢印との成す鋭角θは、特に限定されないが、３０〜６０°程度とすることが、生産性を十分に向上させる上で好ましい。放出体２６は、電界紡糸ユニット２５の上方に設置された基材シート１０ｂの移動方向と平行な第１支持体４１から下方に延びる第２支持体４２により、自身の長手方向が基材シート１０ｂの主面と平行になるように支持されている。
【００６１】
放出体２６の基材シート１０ｂの主面と対向する側には、原料液の放出口２６ａが複数箇所設けられている。放出口２６ａを規則的なパターンで放出体２６に配列させることで、基材シート１０ｂの主面に堆積するナノファイバの量を、主面の広い領域に渡って均一化することができる。放出体２６の放出口２６ａと、基材シート１０ｂとの距離は、製造システムの規模にもよるが、例えば、１００〜６００ｍｍであればよい。
【００６２】
帯電手段は、放出体２６に電圧を印加する電圧印加装置２９と、第２搬送コンベア２８と平行に設置された対電極３０とで構成されている。対電極３０は接地されている。これにより、放出体２６と対電極３０との間には、電圧印加装置２９により印加される電圧に応じた電位差（例えば２０〜２００ｋＶ）を設けることができる。なお、帯電手段の構成は、特に限定されず、例えば、対電極３０は必ずしも接地しなくてもよい。また、対電極３０を設ける代わりに、第２搬送コンベア２８のベルト部分を導体から構成してもよい。
【００６３】
放出体２６は、導体で構成されており、長尺の形状を有し、その内部は中空になっている。中空部は原料液３２を収容する収容部となる。放出体２６の基材シート１０ｂと対向する側には、複数の放出口が、一定の間隔で、規則的な配列で設けられている。原料液３２は、放出体２６の中空部と連通するポンプ３３の圧力により、原料液タンク３４から放出体２６の中空に供給される。そして、原料液３２は、ポンプ３３の圧力により、複数の放出口から基材シート１０ｂの主面に向かって放出される。放出された原料液は、帯電した状態で放出体２６と第２搬送コンベア２８との間の空間を移動中に静電爆発を起し、ナノファイバを生成する。
【００６４】
次に、ガス流を衝突させることによりナノファイバの長軸が一方向に配向し、その状態で基材シートに堆積する原理を、図６を参照しながら説明する。
空間を移動中、静電爆発により生成したナノファイバ２は、静電誘引力によって第２搬送コンベア２８を移動する基材シート１０ｂの主面に向かって移動する（図６（ａ））。ナノファイバ２が基材シート１０ｂの近傍に達すると、送風ノズル４６からのガス流４７により、ナノファイバ２の下端部２ｂが基材シート１０ｂの移動方向に向かって流される（図６（ｂ））。その結果、ナノファイバ２は、基材シート１０ｂの主面と角度を持つようになり、基材シート１０ｂの進行方向に向かって適度に配向する。
【００６５】
次に、ナノファイバ２の下端部２ｂが基材シート１０ｂに接触すると、下端部２ｂは基材シート１０ｂとの摩擦により、基材シート１０ｂの移動方向に引っ張られる（図６（ｃ））。基材シート１０ｂの移動方向に引っ張られている状態のナノファイバ２を破線で示す。その結果、図６に示すように、矢印４８の方向に沿って、ナノファイバ２に張力が付与される。これにより、ナノファイバ２は、一方向に配向した状態で基材シート１０ｂの表面に堆積する。
【００６６】
第２搬送コンベア２８の最も上流側には、基材シート１０ｂの主面と接触するスキージを設けてもよい。このようなスキージにより、ナノファイバを堆積させる前の基材シート１０ｂの主面の凹凸や皺を除くことができる。これにより、基材シート１０ｂは、第２搬送コンベア２８のベルト部分の表面に密着する。従って、ナノファイバは、基材シート１０ｂの主面に、部分的に集中することなく、均一に堆積する。よって、形成される多孔質層の表面は平坦な状態になり、多孔質層の厚みが均一になりやすい。
【００６７】
電界紡糸ユニット２５から搬出された基材シート１０ｂと多孔質層１０ａとの積層体（すなわち体外診断ツール用膜）は、搬送ローラ３６を介して、より下流側に配置されている回収装置３７に回収される。回収装置３７は、搬送されてくる膜を捲き取る回収リール３８を内蔵している。回収リール３８はモータ３９により回転駆動される。
【００６８】
なお、多孔質層を形成する電界紡糸機構は、上記の構成に限定されない。所定のナノファイバ形成空間において、原料液から静電気力によりナノファイバを生成させ、生成したナノファイバを基材シート１０ｂの主面に堆積させることができる機構であれば、特に限定なく用いることができる。例えば、放出体の長手方向に垂直な断面の形状は、上方から下方に向かって次第に小さくなる形状（Ｖ型ノズル）であってもよい。また、放出体を回転体により構成してもよい。具体的には、自転車用タイヤのチューブのような中空の放出体に形成し、当該中空に原料液を収容してもよい。そして、中空放出体の外周面に沿って複数の放出口を設け、中心を軸にして環状体を回転させれば、遠心力により放出口から原料液を放出させることができる。放射状に放出された原料液から生成するナノファイバは、環状体を囲うように配置されたコレクタにより回収してもよく、風力により、ナノファイバの移動方向を変化させてから回収してもよい。
【００６９】
また、体外診断ツール用膜の製造システムは、上記の構成に限定されない。例えば、図７に示すように、電界紡糸ユニット２５を単独で用い、第２搬送コンベア２８に、環状の基材シート１０ｂを巻きつけ、第２搬送コンベア２８を高速で回転させてもよい。このような操作によれば、ナノファイバに回転方向の大きな張力を付与することができる。また、基材シート１０ｂの同じ領域に繰り返しナノファイバを堆積させることができるため、所望の厚さを有する多孔質層を形成することができる。
【００７０】
次に、体外診断ツール用膜の多孔質層の一部に、被検溶液中の被検物質と反応する試薬を担持させる工程について説明する。
多孔質層の所定領域（例えば第１試薬保持部または第２試薬保持部に対応する領域）に試薬を担持させる方法は、特に限定されないが、例えば、試薬の水溶液を調製し、適量の水溶液を多孔質層のオープンな表面から滴下して乾燥させることにより、試薬を担持させることができる。
【００７１】
試薬が被検溶液に溶出するのを避けたい場合、すなわち試薬をナノファイバに強固に固定したい場合には、例えば、試薬の水溶液（抗体溶液）を第２多孔質層に塗布後、完全に乾燥させたり、第２多孔質層に親水性を付与する際に用いる界面活性剤の使用量を最小限にしたりすることが有効である。
【００７２】
抗体溶液には、溶液の極性を小さくするために、１〜１０質量％のアルコール（メタノール、エタノール、プロパノールなど）を添加することが好ましい。また、抗体溶液には、リン酸緩衝溶液を添加して、ｐＨを７．４付近に調整することが望ましい。
【００７３】
試薬として用い得る抗体としては、上記インフルエンザ抗体などの他に、例えば、体液中に含まれる蛋白に対する抗体、体液中に含まれるホルモンに対する抗体などが挙げられる。このような抗体は人工的に産生させることができる。例えば、アルブミン等の蛋白、ｈＣＧ、ＬＨ等のホルモンを抗原として用い、マウス、ウサギ等に抗原を感作させると、抗原に対する抗体を産生する細胞が得られる。必要に応じて抗原と抗体による凝集反応を促進させるポリエチレングリコールなどの化合物を試薬保持部に共存させてもよい。
【００７４】
以上、本発明の体外診断ツールおよびそれに用いる膜について、免疫クロマトグラフィーを主要例として説明したが、本発明は、被検物質を含む被検溶液を多孔質層に滴下し、多孔質層中で被検溶液を移動させ、その後、試薬と反応させるステップを含む、様々な体外診断に適用することができる。
【産業上の利用可能性】
【００７５】
本発明は、免疫クロマトグラフィーなどの体外診断を行う様々なツール（バイオセンサ）に適用することができる。体外診断ツールの主要構成材料として、ナノファイバの長軸方向が一方向に配向している多孔質層を用いることにより、多孔質層の疎水性が抑制される（親水性が増大する）ため、体外診断に必要な分析を、迅速かつ高精度で行うことが可能となる。
【符号の説明】
【００７６】
１：マトリックス構造、２：ナノファイバ、２ａ：基準ナノファイバ、２ｘ,２ｙ：長さ方向における両端、３：Ｘ軸方向のベクトル成分ｘ、４：Ｙ軸方向のベクトル成分ｙ、１０：体外診断ツール用膜、１０ａ：多孔質層、１０ｂ：基材シート、１１：被検溶液導入部、１２：第１試薬保持部、１２ａ：標準試薬、１３：第２試薬保持部、１３ａ：検知試薬、１４：吸液部、１５：被検溶液、１５ａ：被検物質（抗原）、１５ｂ：結合体、２０：基材シート供給装置、２１：第１搬送コンベア、２２：供給リール、２４：モータ、２５：電界紡糸ユニット、２６：放出体、２６ａ：放出口、２８：第２搬送コンベア、２９：電圧印加装置、３０：対電極、３２：原料液、３３：ポンプ、３４：原料液タンク、３６：搬送ローラ、３７：回収装置、３８：回収リール、３９：モータ、４１：第１支持体、４２：第２支持体、４５：空気ポンプ、４６：送風ノズル、４７：ガス流、１００：体外診断ツール、２００：製造システム
【図１】
2014020972.tif 000003
【図２】
2014020972.tif 000004
【図３】
2014020972.tif 000005
【図４】
2014020972.tif 000006
【図５】
2014020972.tif 000007
【図６】
2014020972.tif 000008
【図７】
2014020972.tif 000009